(57)【要約】【課題】特に扉を隔てた位置における空間の人の存在を扉の反対側から簡易かつ迅速に把握し、その空間の状況確認や危険防止に資するシステムの提供。【解決手段】ある空間における人の存在を検知する人感センサ４と、発光色によって人感センサの検知結果を表示する状況表示手段６と、を備え、前記状況表示手段６は、前記人感センサ４と扉５を隔てた位置に設けられる。【選択図】図４
2018207163.tif 000002
【特許請求の範囲】
【請求項１】
ある空間における人の存在を検知する人感センサと、
発光色によって人感センサの検知結果を表示する状況表示手段と、を備え、
前記状況表示手段は、前記人感センサと扉を隔てた位置に設けられることを特徴とする状況表示システム。
【請求項２】
前記状況表示手段は、扉の取っ手部に設けられることを特徴とする請求項１に記載の状況表示システム。
【請求項３】
前記ある空間とは会議室であり、
会議室の会議室特定情報と利用希望日時とを関連付けて記憶する手段と、
前記会議室特定上と前記利用希望日時に基づいて該当する会議室に利用予約があるか否かを判定する予約有無判定処理を行う手段と、
前記人感センサの検知結果と前記予約有無判定処理の結果に応じて該当する状況表示手段の発光色を判定する発光色判定処理を行う手段と、
前記発光色判定処理により判定された発光色を指示する発光指示情報を該当する状況表示手段に送信する手段と、を備えた請求項１又は２に記載の状況表示システム。
【発明の詳細な説明】
【技術分野】
【０００１】
本発明は、ある空間、特に扉を隔てた空間や病院、介護施設若しくは会議室等の室内の状況を確認、表示するためのシステムに関する。
【背景技術】
【０００２】
危険防止や利用の促進および効率化の観点から、壁や扉等により遮蔽された室内等の空間の現状若しくは将来の状況を、その遮蔽の外から確認するための手段が知られている。
【０００３】
例えば、特許文献１には室内に各種センサとカメラ等を設置し、センサが作動した場合にカメラを作動させ室内の状況、たとえば不審人物侵入などの異常状態がないかどうかを撮影し、その映像を遠隔に設置される画面に映し出すことができる集合住宅用インターホンシステムが記載されている。
【０００４】
また、特許文献１には、会議希望日と参加人数等を含む属性情報を端末から受け付けて、これら条件を満たす空室があるか否かを判定し、空室が無いと判断された場合には、既に予約済みの他の予約の条件を満たす他の会議室に振替をする会議室予約システムについて記載されている。
【先行技術文献】
【特許文献】
【０００５】
【特許文献１】特開２００８−１８２３４６号公報
【特許文献２】特開２０１１−０４８５０５号公報
【発明の概要】
【発明が解決しようとする課題】
【０００６】
しかしながら、特許文献１の記載は室内の状況を検知するための各種センサの他、画像を撮影するカメラやそれを表示する表示手段等のように多数の機器が必要となりコスト高であるし、室内の画像の撮影およびその表示はプライバシーの観点から好ましくない状況、場面が多々ある。
【０００７】
また、病院や介護施設の入院患者の病室や入居部屋等においては特にプライバシーの問題がある一方で、比較的自由に出入りできる空間であるため、セキュリティ上の問題があった。
【０００８】
また、上記特許文献２の記載によれば、会議室の利用予約があることは確認できたとしても、実際に予約のとおりに会議室が利用されているのかといった実際の利用状況は確認ができない。
【０００９】
また、急な会議のため急遽会議室の利用が必要となった場合等において、急な会議室利用希望者が、所望の会議室内を視認して利用者がいないことを確認したとしても、実際には他者によって会議室予約がされており単にその者の入室が遅れているだけなのか、といった実際の予約の有無は端末を介して確認する必要があった。
【００１０】
以上のように、専用の機器や端末等を所持していない場合にも簡易かつ迅速に予約の有無や室内といったある空間の状況を確認できる方法が望まれていた。
【課題を解決するための手段】
【００１１】
本発明は、上記課題に鑑みなされたものであり、以下の特徴を備えるものである。
（１）ある空間における人の存在を検知する人感センサと、発光色によって人感センサの検知結果を表示する状況表示手段と、を備え、前記状況表示手段は、前記人感センサと扉を隔てた位置に設けられることを特徴とする。
（２）上記（１）において、前記状況表示手段は、扉の取っ手部に設けられることを特徴とする。
（３）上記（１）又は（２）において、前記ある空間とは会議室であり、会議室の会議室特定情報と利用希望日時とを関連付けて記憶する手段と、前記会議室特定上と前記利用希望日時に基づいて該当する会議室に利用予約があるか否かを判定する予約有無判定処理を行う手段と、前記人感センサの検知結果と前記予約有無判定処理の結果に応じて該当する状況表示手段の発光色を判定する発光色判定処理を行う手段と、前記発光色判定処理により判定された発光色を指示する発光指示情報を該当する状況表示手段に送信する手段と、を備えたことを特徴とする。
【発明の効果】
【００１２】
上記（１）に係る発明によれば、扉の開き方向であった当該扉付近に人がいる場合に、これに気付かず扉を開けた場合に開き方向にいる人に扉が当たって怪我をさせてしまうなどといった事故を防止できる。また、病室内の入院患者が転落等により本来いるべきベッドの上にいない場合などといった室内の異常を簡易的に知らせることができる。
【００１３】
上記（２）に係る発明によれば、本発明に係るシステムのうち状況表示手段の設置にあたり、当該状況表示手段を設置した取っ手部分のみを変更すればよいため、状況表示手段を別途扉表面に設置して見栄えを悪くしたりすることがなく、また、コストを安く抑えることができる。
【００１４】
上記（３）に係る発明によれば、会議室に関して予約の有無および実際に利用者がいるか否かが、状況表示手段の発光色によって即座に把握できるため、会議室予約システムを端末で立ち上げて確認するなどといった労力を低減できる。
【図面の簡単な説明】
【００１５】
【図１】本発明に係る実施例１におけるハードウェアとそれらの結び付きの一例を表した概略図である。
【図２】予約状況記憶手段の一例を示す図である。
【図３】利用者有無情報の一例を示す図である。
【図４】本発明に係る実施例２におけるハードウェアの位置関係等を示した模式図である。
【図５】本発明に係る実施例３におけるハードウェアの位置関係等を示した模式図である。
【図６】状況表示手段を備えた取っ手部付近の一例を示す拡大図である。
【発明を実施するための形態】
【実施例１】
【００１６】
本発明に係る実施例１について、図面を参照しつつ以下説明する。図１は、本発明の実施例１に必要なハードウェアとそれらの結びつきを示す概略図である。必要な情報を管理するためのサーバ装置１と、会社の社員等が使用する利用者端末３と、会議室等の室内に人がいるか否かを検知する人感センサ４と、会議室の扉５若しくはそれら近傍に設置される状況表示手段６とが社内ＬＡＮ等による通信回線２を介して、データの送受信が可能に接続される。
【００１７】
サーバ装置１および利用者端末３は、データを処理するための処理装置、データを記憶する記憶装置と、データを送受信する送受信部をそれぞれ備えている。サーバ装置１および利用者端末３の記憶装置には、本発明の実施のためのコンピュータプログラム及び所定のデータがそれぞれ記憶されている。処理装置は、当該コンピュータプログラム等による所定の命令に従ってデータの処理を行う。
【００１８】
サーバ装置１は、例えば市販のコンピュータであってよい。また、利用者端末３は、市販のコンピュータ、若しくはスマートフォン、タブレットＰＣといった携帯情報端末であってよい。これらは、データ表示のための表示手段、データ入力のための入力手段といった情報端末が一般に備える各種手段を必要に応じて適宜備えるものでよい。
【００１９】
人感センサ４は、各会議室内に設置されるものであり、赤外線、超音波、可視光などによる従来既知のものを適宜選択若しくは組み合わせて利用すればよい。後述するように、人感センサ４はある空間における人の存在、又は、その動きを検知できるものであればよく、その検知情報をサーバ装置１に送信する手段を備えるものである。
【００２０】
状況表示手段６は、ＬＥＤ等による１以上の発光色を有する発光部を備えており、点灯消灯および発光色変更等を指示する発光制御情報を通信回線２を介して受信する手段、発光制御情報により実際に発光部を点灯、調光、発光色変更を行う制御手段、点灯回路等を備えるものである。
【００２１】
ここで、人感センサ４、扉５および状況表示手段６は、通常、会議室毎に設けられるものである。そのため、図１においては、どの会議室に設置されたものかを把握し易くするため「会議室ａ乃至ｃ」という会議室名に応じて、「会議室ａ」に設置されるものは「人感センサ４ａ、扉５ａ、状況表示手段６ａ」とし、同様に「会議室ｂ」については、「人感センサ４ｂ、扉５ｂ、状況表示手段６ｂ」、「会議室ｃ」については、「人感センサ４ｃ、扉５ｃ、状況表示手段６ｃ」として図示している。なお、図１及び後述の図５における一点鎖線は、部屋の仕切り（壁や天井）を模式的に表している。
【００２２】
＜予約受付処理＞
以下、システムの動作および処理の流れについて、具体的に説明する。サーバ装置１は、所定のプログラムによって実現される会議室予約機能を備えており、利用者端末３から会議室の利用予約を受け付ける。
【００２３】
サーバ装置１が備える会議室予約機能は、利用者端末３から、たとえば「会議室特定情報」、「利用希望日時」、「利用人数」、「予約者名」といった予約情報を受け付け、図２に示すような「予約状況記憶手段」に関連付けて記憶する。
【００２４】
ここで、特に本実施例１においては、少なくとも「会議室特定情報」と「利用希望日時」を関連付けて記憶する。
【００２５】
＜予約有無判定処理＞
サーバ装置１は、予約状況記憶手段を参照し、現在日時と比較して会議室の予約状況を確認する。例えば、図２における「会議室ａ」の場合、「利用希望日時」が「２０１６年８月２２日１５時３０分から１７時００分」であるので、サーバ装置１は、特に図示しない日時取得手段により取得した「現在日時情報」と「利用希望日時」とを参照し比較し、現在において会議室ａについて予約がなされているか否かを判定する予約有無判定処理を行う。
【００２６】
例えば、この例における「会議室ａ」の場合、サーバ装置１は、「利用希望日時」である「２０１６年８月２２日１５時３０分から１７時００分」と「現在日時情報」を比較し「現在日時情報」が「２０１６年８月２２日１５時３０分」に到達したときに会議室ａについての予約有無判定は予約があることを示す「有」と判定し、その後、「２０１６年８月２２日１７時００分」に到達したときは予約有無判定は予約がないことを示す「無」と判定するようにする。他の会議室についても同様の処理を行えばよい。
【００２７】
＜利用者有無情報取得処理＞
続いて、会議室が実際に利用されているか、すなわち人が存在するか否かを判定するための利用者有無判定処理について説明する。
【００２８】
人感センサ４は、会議室内の人の有無について検知し、その検知情報を人感センサ４を識別するための人感センサ識別情報と共にサーバ装置１に送信し、これを受信したサーバ装置１はこれを記憶する。
【００２９】
具体的には、図３に示すように、「会議室ａ」の人感センサ４ａが会議室ａ内の人の存在を検知した場合、人感センサ４ａは自身の「人感センサ識別情報」である「４ａ−１」と、会議室ａ内に人が存在することを示す存在確認情報とを関連付けた検知情報をサーバ装置１に送信し、これを受信したサーバ装置１は、「人感センサ識別情報」により特定される「利用者有無情報」を人が存在することを示す情報（本説明では「有」）として関連付けて記憶する。
【００３０】
一方、人感センサ４ａが会議室ａ内の人の存在を検知しない場合には、人感センサ４ａは自身の「人感センサ識別情報」である「４ａ−１」と、会議室ａ内に人が存在しないことを示す不存在確認情報とを関連付けた検知情報をサーバ装置１に送信し、これを受信したサーバ装置１は、「人感センサ識別情報」により特定される「利用者有無情報」を人が存在しないことを示す情報（本説明では「無」）として関連付けて記憶する。
【００３１】
＜発光色判定処理＞
サーバ装置１は、会議室毎の「予約の有無」および「会議室の利用者の有無」を参照し、それらに応じて状況表示手段６の発光色を決定するための発光色判定処理を行う。
【００３２】
会議室ａにおける例の場合には、サーバ装置１は、予約状況記憶手段の「会議室特定情報」の「会議室ａ」に関連付けられている情報から「会議室ａの予約の有無」と「会議室ａの利用者の有無」を判定することになるが、具体的は、「会議室ａの予約の有無」については、上述の「予約有無判定処理」の結果を、「会議室ａの利用者の有無」については、関連付けて記憶されている「会議室利用者有無情報」を検索し参照することにより行う。
【００３３】
こうして会議室ａの状況を確認した場合、状況として以下の３パターンが考えられる。すなわち、「（１）予約無し：利用者無し」、「（２）予約無し：利用者有り」、「（３）予約有り：利用者有り」、「（４）予約有り：利用者無し」である。
【００３４】
サーバ装置１は、こういった会議室ａの状況に応じて状況表示手段の発光色を決定する。発光色は適宜自由でよいが、本実施例に係る説明では、「（１）予約無し：利用者無し」の場合の発光色を「青色」、以下同様に、「（２）予約無し：利用者有り」を「黄色」、「（３）予約有り：利用者有り」を「赤色」、「（４）予約有り：利用者無し」を「緑色」として判定する。
【００３５】
サーバ装置１は、こうして判定された発光色に基づいて状況表示手段６ａに発光色指示情報を送信する。これを受信した状況表示手段６ａは、当該発光色指示情報に従い、発光部の発光色を変更する。
【００３６】
ここで、「発光色判定処理」が行われるタイミングは、たとえば所定の時間毎（例えば１分毎）としてもよいし、「予約有無判定処理」、「利用者有無情報取得処理」とあわせて行うようにしてもよい。
【００３７】
例えば、後者のタイミングで「発光色判定処理」を行う場合、人感センサ４からサーバ装置１が人存在情報を取得し「会議室利用者有無情報」の記憶に続いて行うようにすればよい。また、「予約有無判定処理」が上述のように「利用希望時間」の開始時と終了時において行われる場合は、これに続けて「発光色判定処理」を行うようにしてもよい。
【００３８】
本実施例１によれば、会議室の利用希望者は、手元に端末等が無い場合であっても状況表示手段の発光色により会議室の予約および利用の有無を即座に確認できる。特に、急な会議などの場合、わざわざ端末により予約システムにアクセスしなくても予約の有無が確認でき、また、実際に利用者がいるか否か会議室の扉を開けて内部を確認しなくても、利用したい会議室の予約および利用状況が状況表示手段の発光色を確認するだけで把握することが可能となる。
【実施例２】
【００３９】
本発明に係る実施例２について説明する。部屋入り口や通路などに設置される扉を開けようとした場合、その扉の向こう側に人に怪我等をさせてしまうおそれがある。実施例２は、こうしたことを防止しようとするものである。
【００４０】
図４に示すように、この実施例２では、扉５は、矢印方向（図視右側、すなわち、人感センサ４側）が開き向きであるとすると、扉５を図視右側に押開する場合、その付近であって開き向き側に人がいる場合、開扉によってその人が怪我するおそれがある。
【００４１】
このため、本実施例では、扉５付近の開き向き側に人感センサ４を備える。人感センサ４は扉５の開き向き側付近の人の存在を検知した場合には、扉５の開き向きとは逆側に設けられる状況表示手段６により当該人の存在を認識させるようにする。
【００４２】
たとえば、人感センサ４が人の存在を検知しない場合は、状況表示手段６は、「緑色」で発光しているものとする。このように状況表示手段６の発光色が緑色の場合、扉５の開き方向側近くに人がいないので、扉５を押開しようとする者は心配なく扉５を開けることができる。
【００４３】
人感センサ４は人の存在を検知した場合、人感センサ４からの制御信号に基づき、状況表示手段６は、人が存在することを示す色（たとえば赤色）に発光色を変更させ、扉５を押開しようとする者に対し、扉５の向こう側に人がいることを警告する。
【００４４】
以上の本実施例２によれば、簡易な機器構成で、扉の開閉時における事故を防止できる。
【実施例３】
【００４５】
実施例３は、病院や介護施設等における病室や入居部屋内において、特に入院患者や入居者にベッドからの転落等といった異常があった場合等に備えるための一例である。
【００４６】
図５は、病室内の模式図である。人感センサ４としての荷重センサを入院患者ベッド７の脇の床上に備える。荷重センサは入院患者の体重を検知する。ただ、入院患者といってもその病状などは様々であるため、自力で行動できる入院患者は、用事やトイレ等に行くために病室を出ることもあるため、こうした場合の荷重センサの検知を異常と判断しないように対処するのが望ましい。
【００４７】
具体的には、荷重センサによる荷重の検知が所定の時間以上継続する場合に、サーバ装置１は異常と判断し、状況表示手段６を警告を表す色（たとえば赤色）に発光させるようすればよい。
【００４８】
これにより、巡回の看護師等にとっては、病室内に入ることなく通路を見渡すだけで異常が起こっている病室を一目で認識することができるため、病室内の急変等による異常を速やかに発見し易くなる。
【００４９】
なお、本実施例に係るこれまでの説明においては、荷重センサをベッド７脇の床上に設置するようにしているが、これに限らない。床材の材質にもよるが、床材内もしくは床材下に設置するようにしてもよい。
【００５０】
また、荷重センサはベッド７脇の床には設置せず、ベッド７に設置するようにしてもよい。この場合、ベッド７上で所定の時間、体重（荷重）を検知しない場合に異常と判断するようにすればよい。
【００５１】
本発明は、以上の説明の例に限定されない。状況表示手段６は、扉５およびその近傍に設置すればよいが、さらに望ましくは、たとえば、図４に示すように扉の取っ手部、又は、図６に示すように、取っ手付け根部分に設けるのが望ましい。図６においては、取っ手付け根にリング状に状況表示手段６としてのＬＥＤを備えた例を表しているが、勿論状況表示手段６の形状はこれに限られない。
【００５２】
このようにすることで、扉の取っ手部又はその近傍の構成要素を状況表示手段６を組み込んだものに変更するだけで済むので、扉全体を入れ替えたり、別部材として状況表示手段６を取付等する必要がないため、設置工事が容易でコスト安とすることができる。
【００５３】
各種情報の定義や区分け、若しくはそれら情報を処理又は記憶する関連付けの方法も上記の説明に限定されない。例えば、予約状況記憶手段は、図２に示すように単一テーブル構造としてもよいし、複数テーブルを適宜関連付けるようにしてもよく、ある情報に基づいてその他の情報が特定できるように関連付いていればよい。
【符号の説明】
【００５４】
１  サーバ装置
２  通信回線
３  利用者端末
４  人感センサ
５  扉
６  状況表示手段
【図１】
2018207163.tif 000003
【図２】
2018207163.tif 000004
【図３】
2018207163.tif 000005
【図４】
2018207163.tif 000006
【図５】
2018207163.tif 000007
【図６】
2018207163.tif 000008